(57)【要約】【課題】本発明は、増殖中のウィルスを不活性化する通気性基材を用いたエアフィルターを提供することを課題とする。【解決手段】通気性基材にマツから抽出した天然エキス成分が含有されてなることを特徴とするエアフィルターまたは通気性基材にマツから抽出した天然エキス成分を含む複数の種類の天然エキス成分が含有されてなることを特徴とするエアフィルターであり、通気性基材中のマツから抽出した天然エキス成分の含有量が、０．０１ｇ／ｍ２以上であることが好ましい。【選択図】なし【特許請求の範囲】
【請求項１】
通気性基材にマツから抽出した天然エキス成分が含有されてなることを特徴とするエアフィルター。
【請求項２】
通気性基材にマツから抽出した天然エキス成分を含む複数の種類の天然エキス成分が含有されてなることを特徴とするエアフィルター。
【請求項３】
通気性基材中のマツから抽出した天然エキス成分の含有量が、０．０１ｇ／ｍ２以上である請求項１または２記載のエアフィルター。
【発明の詳細な説明】
【技術分野】
【０００１】
本発明は、通気性基材にマツから抽出された天然エキス成分が含有されたことを特徴とするエアフィルターに関する。
【背景技術】
【０００２】
近年、エアコンの普及により、窓を開けた室内空気の換気に変わり、空気清浄機を用いて室内空気を浄化する生活環境が多く見られる。
【０００３】
空気清浄機のフィルターが捕集する物質には、ダニや花粉由来のアレルゲンや、カビの胞子、菌類、ウィルス類等が含まれている。これら物質は疾病の原因となることから、捕集したフィルター上で失活することが望まれている。
【０００４】
アレルゲンに対する有効な手段として茶のカテキンを担持（含有）させたフィルター（例えば、特許文献１参照）や酵素を担持させたフィルター（例えば、特許文献２参照）等がエアフィルターとして開示されている。また、抗アレルゲン成分として芳香族ヒドロキシ化合物を担持させたマスク（例えば、特許文献３参照）等が開示され、フィルターとしての利用が期待されている。
【０００５】
カビとウィルスに対する有効な手段として茶の抽出成分と防カビ剤を添着した素材を有するフィルター（例えば、特許文献４参照）等が開示されている。また、菌類とウィルスに対する有効な手段として、銀杏葉エキスを担持したエアフィルター（例えば、特許文献５参照）等が開示されている。
【０００６】
空気清浄機のフィルターはダニや花粉等由来のアレルゲンや、カビの胞子、菌類、ウィルス類等のみならず、カビや菌類やウィルスが増殖するために必要な養分も捕集する。そのため、フィルター上でカビや菌類やウィルスが増殖してしまうことが懸念される。
【０００７】
従来の技術では、捕集したウィルスを不活化できても、増殖中のウィルスに対して有効なエアフィルターの提案はない。
【先行技術文献】
【特許文献】
【０００８】
【特許文献１】特開２０００−５５３１号公報
【特許文献２】特開２００３−２１０９１９号公報
【特許文献３】特開２００３−７９７５６号公報
【特許文献４】特開平１０−３１５号公報
【特許文献５】国際公開第２００６／０１１５４１号パンフレット
【発明の概要】
【発明が解決しようとする課題】
【０００９】
本発明は、上記の課題を解決するものであり、増殖中のウィルスを不活性化する通気性基材を用いたエアフィルターを提供することを課題とする。
【課題を解決するための手段】
【００１０】
本発明は以下の構成からなる。
（１）通気性基材にマツから抽出した天然エキス成分が含有されてなることを特徴とするエアフィルター。
（２）通気性基材にマツから抽出した天然エキス成分を含む複数の種類の天然エキス成分が含有されてなることを特徴とするエアフィルター。
（３）通気性基材中のマツから抽出した天然エキス成分の含有量が、０．０１ｇ／ｍ２以上である請求項１または２記載のエアフィルター。
【発明の効果】
【００１１】
本発明のエアフィルターは、通気性基材にマツから抽出した天然エキス成分を含有させて得られる。本発明のエアフィルターは、フィルター上に捕集したウィルスの増殖を抑制し、不活化できるので、エアフィルターとして有効である。さらに、抗アレルゲン性も有しており、これらは全く予想外の効果である。
【発明を実施するための形態】
【００１２】
以下、本発明のエアフィルターについて詳細に説明する。
【００１３】
本発明において、マツから抽出された天然エキス成分とは、マツカサ、マツの葉、種子、樹皮、樹幹、実のカラ等から抽出されたエキスである。ウィルスを不活性化できるものであれば特に限定はない。次に述べるように、特に、マツカサから抽出された天然エキス成分（マツカサエキス）を好ましく用いるが、マツカサ以外の部分由来の天然エキス成分でも特に支障はない。
【００１４】
中でも、マツカサエキスには他の天然物抽出エキスには見られないピノソールという生理活性物質が含まれている。ピノソールはフェニルプロペノイド重合体であり、ポリフェノール部分に糖類が結合した構造である。フェニルプロペノイド重合体部分はウィルスと直接結合して増殖を抑制する。
【００１５】
マツからの天然エキス成分の抽出法には特に制限はなく、これまでに開示された方法によって得ることができる。一例を上げると、本発明にマツカサエキスを用いる場合には、マツカサを熱水抽出し、さらに、残渣中の活性物質をアルカリ水により抽出する方法が挙げられる。
【００１６】
本発明のマツから抽出された天然エキス成分は、上記のようにして得られた抽出液をそのまま用いても良いし、必要に応じ、常法に従って精製、濃縮、乾燥した成分を粉体として用いても良く、さらに希釈したものを用いても良い。
【００１７】
なお、上記の抽出法等により得た天然エキス成分を高速液体クロマトグラフィー等で分析すると、用いる天然エキス成分の品質確認ができる。さらに、本発明のエアフィルター中に含有されるマツから抽出された天然成分の分析にも、上記の抽出法をそのまま応用できる。すなわち、エアフィルターから抽出操作して得た液を分析することにより、エアフィルター製造後の品質確認による安定生産が可能となる。
【００１８】
本発明のエアフィルターにおけるマツから抽出された天然エキス成分の含有量は、エアフィルターに使用する通気性基材に対し、好ましくは０．０１ｇ／ｍ２以上である。より好ましくは０．１ｇ／ｍ２以上であり、さらに好ましくは１ｇ／ｍ２以上である。この範囲の量のマツから抽出された天然エキス成分を通気性基材に含有させることにより、ウィルスの不活性化等の効果が満足な程度に得られるため、好ましい。この下限を下回ると、本発明の効果が充分に得られない場合がある。
【００１９】
本発明のエアフィルターに使用する天然エキスは、マツから抽出されたもの単独でも良いし、他のエキスを併用してもよい。併用して使用可能なエキスは、マツから抽出されたエキスの性能を阻害しないものであれば、特に限定されない。併用して使用可能なエキスとしてイチョウ、グレープフルーツ、スターフルーツ、グレープ、コーヒー、チャ、スギ、ヒノキ、ヒバ、ユーカリ、タイワンヒノキ、センダン、タケ、ササ、ゴマ、キク等の植物エキス、サケ白子、キトサン等の動物エキスが上げられる。併用して使用するエキスの含有量は、目的の性能が得られれば制限はないが、エアフィルターに使用する通気性基材に対し、好ましくは０．０１ｇ／ｍ２以上である。より好ましくは０．１ｇ／ｍ２以上であり、さらに好ましくは１ｇ／ｍ２以上である。このときマツから抽出された天然エキス成分の含有量は、エアフィルターに使用する通気性基材に対し、好ましくは０．０１ｇ／ｍ２以上である。より好ましくは０．１ｇ／ｍ２以上であり、さらに好ましくは１ｇ／ｍ２以上である。この範囲の量であれば、ウィルスの不活性化等の効果を損なうことなく、他のエキスの効果を引き出すことができる。この下限を下回ると、本発明の効果が充分に得られない場合がある。
【００２０】
次に、本発明に用いる通気性基材について説明する。本発明において、使用される通気性基材の材質に特に制限はなく、使用する装置、機器の形状に対応するものであれば良い。平面状、立体状等のいずれの形状のものを用いても良い。
【００２１】
平面状のものは、その一例としてシート状のものが挙げられる。織物、編み物、不織布、紙、ネット、通気性フォーム、金属多孔質体、開孔を施したフィルム等のシート状物から適宜選択することができるが、安価で、繊維配合、目付、厚み等を制御しやすい点、穴開け加工等の後加工を行いやすい点から、不織布が好ましい基材の一つとして挙げられる。不織布の製法としてはスパンボンド法、メルトブロー法、乾式法（サーマルボンド法、レジンボンド法、ニードルパンチ法、スパンレース法、ステッチボンド法）、湿式法等の方法から少なくとも一つの方法を選択し用いることができる。必要に応じて、これらの複数の方法を組み合わせることができる。
【００２２】
本発明で用いる通気性基材にマツから抽出した天然エキス成分を含有（担持）させる方法としては、天然エキス成分を通気性基材表面にできるだけ均一に含有させることができる方法であれば特に制限はなく、溶液あるいは分散液として、通気性基材に塗工、含浸またはスプレー等の方法によって付与し、溶媒や分散媒を乾燥等の方法で除去し、天然エキス成分を担持させる方法が例示される。溶液あるいは分散液の溶媒としては、天然エキス成分の抽出に用いる各種溶媒等が挙げられる。また、基材の原料となる樹脂や金属等に練り混み等の手段によって担持させる方法も挙げられる。また、上記の方法以外に、湿式法における内添のように、原料繊維をシート化する過程で、天然エキス成分を内添担持させる方法も挙げられる。
【００２３】
マツから抽出した天然エキス成分の基材への固着を強固にする場合、他の成分との併用や着色等により製品の外観を向上させる場合等には、マツから抽出した天然エキス成分による効果を阻害しない範囲において、少量のバインダー（接着剤）を用いることは好ましい方法の一つである。水性バインダーについて具体例を挙げる。水溶性のものとしては、例えば、ポリビニルアルコールやデンプン等が挙げられる。また、水分散性のものとしては、例えば、ポリ（メタ）アクリル酸エステル類、ポリ酢酸ビニル、ポリ塩化ビニル、スチレン−ブタジエンラテックス等が挙げられる。
【００２４】
また、必要に応じて、マツから抽出した天然エキス成分の基材への担持をより安定にし、ウィルス不活化等の効果をより長時間一定して持続させ、かつ、エキス臭を緩和するため、多孔質の粉末（例えば、活性炭やゼオライトの粉末等）を通気性基材中に含有させてもよい。
【００２５】
また、これらのマツから抽出した天然エキス成分を担持させたシートと他のシートを貼り合わせ等の方法で複合化したものも、平面状の基材として好ましい材料の一つである。
【００２６】
本発明で用いる通気性基材の他形状としては立体形状のものがあり、ハニカム状、コルゲート状、プリーツ状のものが例示される。これらの基材を構成するための素材としては、先に挙げたシート状物を加工する他に、通気性に乏しいポリオレフィンやポリエステル等のプラスチックシート、アルミや銅等の金属板、厚紙等であってもよい。
【００２７】
立体形状への加工前の段階で付与する方法の他に、立体形とした後、スプレー等の方法で付与する方法も好ましい。
【００２８】
なお、必要に応じて、本発明の趣旨を逸脱せず、他の性能を付加する目的において、脱臭、抗菌、防黴、より一層の抗ウィルス、防虫、殺虫、消臭、芳香、感温、保温、蓄温、蓄熱、発熱、吸熱、防水、耐水、撥水、疎水、親水、除湿、調湿、吸湿、撥油、親油、油等の吸着、および水や揮発性薬剤等の蒸散または徐放等の各種機能を新たに付加したものでも良い。
【００２９】
本発明において、エアフィルターに、ウィルスを不活性化する機能の他、先述したように通気性基材に脱臭機能、除塵機能、耐微生物機能、芳香付加機能、マイナスイオン付加機能の少なくとも１つの機能を付加させることも好ましい。
【００３０】
本発明のエアフィルターは、空調機、空気清浄機、掃除機、除湿機、乾燥機、加湿機、換気扇、扇風機、熱交換装置等の、機械による強制給排気による空気処理装置に装着使用することでウィルスの不活化等の好ましい効果が得られる。あるいは、自然給排気のための外気流入口（通気口や窓等）に本発明のエアフィルターを用いてもよい。空気清浄機等の場合、脱臭、除塵等の要求される機能をそれぞれの機能を持ったフィルターの併用によって得てもよい。
【実施例】
【００３１】
以下に、実施例を挙げて本発明を具体的に説明するが、本発明の趣旨を逸脱しない範囲において、本実施例に限定されるものではない。
【００３２】
（マツカサエキス）
五葉松のマツカサ５００ｇをウィレーミルで粉砕し、パウダーを得た。このマツカサパウダーを、５Ｌの熱水で５時間の煮沸還流を行い、残渣を回収した。得られた残渣を、６０℃の４質量％の水酸化ナトリウム水溶液で５時間の抽出を行い、抽出液を回収した。抽出液に酢酸を加えｐＨ５に調整し、固形物を析出させた。抽出液を減圧濃縮し、遠心分離により析出物を２５ｇ回収した。得られた析出物２５ｇとデキストリン２５ｇを熱水１００ｇに溶解した後に、溶解液を噴霧乾燥し、マツカサパウダー５０ｇを得た。マツカサパウダー中にマツカサエキスは５０質量％含有される。以下の各実施例に用いる場合は、必要量を得るまで上記操作を繰り返した。マツカサパウダーを水に質量比で５：９５になるよう溶解し、実施例で用いるマツカサエキス水溶液を調製した。マツカサエキス水溶液中にマツカサエキスは２．５質量％含有される。
【００３３】
（実施例１〜５）
通気性基材として、４０ｇ／ｍ２のポリエステルスパンボンド不織布を用い、該不織布に上記のマツカサエキス溶液をスプレー法にて均一塗布し、１２０℃で乾燥することにより、実施例のエアフィルターを作製した。なお、マツカサエキスの塗布量は、乾燥したマツカサエキス含有量として１０ｇ／ｍ２（実施例１）、１ｇ／ｍ２（実施例２）、０．１ｇ／ｍ２（実施例３）、０．０１ｇ／ｍ２（実施例４）、０．００１ｇ／ｍ２（実施例５）の５水準とした。
【００３４】
（銀杏葉エキス）
銀杏の乾燥葉１ｋｇに、エタノールおよび精製水の混合液（容積比１：１）８ｋｇを加え、７時間攪拌抽出した。固形物を濾過した後、濾液を６０℃以下で全量が約１０分の１の容量になるまで減圧濃縮し、酢酸エチル０．５ｋｇを加えて十分に攪拌した後、静置・分液して下層部を得た。その下層部を減圧濃縮し、褐色の粘稠物を得た。該粘稠物を約３０倍のプロピレングリコールおよび精製水の混合液（容積比８：２）に溶解し、微量の不溶物を濾紙濾過し、８ｇの銀杏葉エキス溶液を得た。本品１ｇは、乾燥した銀杏葉エキス０．１ｇに相当する。以下の各実施例に用いる場合は、必要量を得るまで上記操作を繰り返した。
【００３５】
（実施例６〜１０）
通気性基材として、４０ｇ／ｍ２のポリエステルスパンボンド不織布を用い、該不織布に上記のマツカサエキスと銀杏葉エキスの混合溶液をスプレー法にて均一塗布し、１２０℃で乾燥することにより、実施例のエアフィルターを作製した。なお、マツカサエキスの塗布量は、乾燥したマツカサエキス含有量として１０ｇ／ｍ２（実施例６）、１ｇ／ｍ２（実施例７）、０．１ｇ／ｍ２（実施例８）、０．０１ｇ／ｍ２（実施例９）、０．００１ｇ／ｍ２（実施例１０）の５水準であり、銀杏葉エキスの含有量は、乾燥した銀杏葉エキス含有量として、実施例６〜１０のいずれも１ｇ／ｍ２である。
【００３６】
（比較例１）
実施例のポリエステルスパンボンド不織布を比較例１のエアフィルターとした。
【００３７】
（比較例２および３）
実施例１および２で用いたマツカサエキス溶液に替えて、銀杏葉エキス溶液を用いた以外は、実施例１および２と同様の方法により、比較例２および３のエアフィルターを作製した。（実施例１と比較例２、実施例２と比較例３の天然エキス成分の含有量がそれぞれ対応している。）
【００３８】
以上、実施例１〜１０のエアフィルター、比較例１〜３のエアフィルターを下記の性能試験に従って評価し、その結果を表１に示した。なお、下記各試験は、２５℃、５０％ＲＨ（相対湿度）の条件で行った。
【００３９】
［ウィルス不活性化試験］
実施例１〜１０および比較例１〜３で得たエアフィルターをそれぞれ３ｃｍ×３ｃｍの大きさに裁断して検体とし、個々に試験した。検体に、インフルエンザウィルス浮遊液を滴下し、室温にて保存し、２４時間後のウィルス感染価を測定した。詳細は以下の通りである。
【００４０】
１．試験ウィルス
インフルエンザウィルスＡ型（Ｈ１Ｎ１）を使用した。
【００４１】
２．使用細胞
ＭＤＣＫ（ＮＢＬ−２）細胞ＡＴＣＣ  ＣＣＬ−３４株（大日本製薬社製）を使用した。
【００４２】
３．使用培地
３−１．細胞増殖培地
Ｅａｇｌｅ  ＭＥＭ（０．０６ｍｇ／ｍｌカナマイシン含有）に新生コウシ血清を１０質量％加えたものを使用した。
【００４３】
３−２．細胞維持培地
Ｅａｇｌｅ  ＭＥＭ＝１０００ｍｌ、１０質量％炭酸水素ナトリウム水溶液＝３４ｍｌ、Ｌ−グルタミン（３０ｇ／ｌ）＝９．８ｍｌ、１００×ＭＥＭ用ビタミン液＝３０ｍｌ、１０質量％−アルブミン＝２０ｍｌ、トリプシン（５ｍｇ／ｍｌ）＝２ｍｌの組成の培地を使用した。
【００４４】
４．ウィルス浮遊菌の調整
４−１．細胞の培養
細胞増殖培地を用い、ＭＤＣＫ細胞を組織培養フラスコ内に単層培養した。
【００４５】
４−２．ウィルスの培養
４−２−１．低感染量試験用ウィルスの培養
単層培養後にフラスコ内から細胞増殖培地を除き、試験ウィルスを接種した。次に、細胞維持培地を加えて３７℃の炭酸ガスインキュベーター（炭酸ガス濃度：５質量％）内で２〜５日間培養した。
【００４６】
４−２−１．高感染量試験用ウィルスの培養
単層培養後にフラスコ内から細胞増殖培地を除き、試験ウィルスを接種した。次に、細胞維持培地を加えて３７℃の炭酸ガスインキュベーター（炭酸ガス濃度：５質量％）内で５〜７日間培養した。
【００４７】
４−３．ウィルス浮遊液の調製
培養後、倒立位相差顕微鏡を用いて細胞の形態を観察し、細胞に形態変化（細胞変性効果）が起こっていることを確認した。次に、培養液を遠心分離（３０００ｒｐｍ×１０分間）し、得られた上澄み液をウィルス浮遊液とした。
【００４８】
５．試料の調製
実施例１〜１０および比較例１〜３で得たエアフィルターをそれぞれ３ｃｍ×３ｃｍの大きさに裁断した検体を湿熱滅菌（１２１℃×１５分間）したものを試料とした。
【００４９】
６．試験操作
試料にウィルス浮遊液０．２ｍｌを滴下し、室温にて保存した。また、プラスチックシャーレを対照試料として、同様に試験した。
【００５０】
７．ウィルスの洗い出し
２４時間保存した後、試料中のウィルス浮遊液を細胞維持培地２ｍｌで洗い出した。
【００５１】
８．ウィルス感染価の測定
細胞増殖培地を用い、ＭＤＣＫ細胞を組織培養用マイクロプレート（９６穴）内で単層培養した後、細胞増殖培地を除き細胞維持培地を０．１ｍｌずつ加えた。次に、洗い出し液およびその希釈液０．１ｍｌを４穴ずつに接種し、３７℃の炭酸ガスインキュベーター（炭酸ガス濃度：５質量％）内で４〜７日間培養した。培養後、倒立位相差顕微鏡を用いて細胞の形態変化（細胞変性効果）の有無を観察し、Ｒｅｅｄ−Ｍｕｅｎｃｈ法により５０％組織培養感染量（ＴＣＩＤ５０）を算出して洗い出し液１ｍｌ当たりのウィルス感染価に換算した。ウィルス接種直後（対照）および２４時間保存後（試料）の洗い出し液１ｍｌ当たりのＴＣＩＤ５０の対数値（ｌｏｇＴＣＩＤ５０／ｍｌ）を比較し、ウィルス不活性化性能の指標とした。なお、ｌｏｇＴＣＩＤ５０／ｍｌ＜１．５を検出限界とした。
【００５２】
９．増殖中のウィルスに対する効果
ウィルス感染量の異なる試験系、つまり低感染量および高感染量の両者においてウィルスの不活化が確認された場合、増殖中のウィルスを不活化すると判断した。
【００５３】
［アレルゲン不活性化試験］
１．試薬の調製
１−１．アレルゲン溶液の調製
精製ダニアレルゲンｒＤｅｒｆ２（生化学工業社製）をＰＢＳ（−）に溶解し、試験用アレルゲン溶液として５００ｎｇ／ｍｌとなるように調製した。
【００５４】
１−２．抗体溶液の調製
抗ｒＤｅｒｆ２モノクローナル抗体１５Ｅ１１（生化学工業社製）を２μｇ／ｍｌの濃度となるようにＰＢＳ（−）で希釈した。
【００５５】
１−３．標識抗体溶液の調製
西洋ワサビペルオキシダーゼ標識抗ｒＤｅｒｆ２モノクローナル抗体１３Ａ４ＰＯ（生化学工業社製）をＰＢＳ−Ｔで５０００倍希釈した。ＰＢＳ−Ｔについては、０．５ｇのＴｗｅｅｎ２０を１０００ｍｌのＰＢＳ（−）に溶解して使用した。
【００５６】
１−４．１％−ＢＳＡ−ＰＢＳ（−）の調製
０．２ｇのＢＳＡを２０ｍｌのＰＢＳ（−）に溶解して使用した。
【００５７】
１−５．０．３ｍｇ／ｍｌ−ＡＢＴＳ（基質溶液）の調製
３ｍｇのＡＢＴＳを１０ｍｌの０．３Ｍ−Ｃｉｔｒａｔｅ  ｂｕｆｆｅｒ（ｐＨ４．０）で溶解し、これに１０μｌの３０質量％過酸化水素を添加して使用した。
【００５８】
２．試験方法
本試験方法はエアフィルター上で捕捉したアレルゲンが不活性化されることの確認試験である。
【００５９】
２−１．概要
実施例１〜１０および比較例１〜３で得たエアフィルターをそれぞれ２ｍｍ×４ｍｍの大きさに裁断し検体とし個々に試験した。検体を４８ウェルプレートの底に置き、１ウェル当たり３００μｌのアレルゲン溶液（５００ｎｇ／ｍｌ）を添加し、室温で２時間静置した。静置後、５０μｌを採取し、その中に存在するアレルゲン濃度をサンドイッチＥＬＩＳＡ法により定量した。サンドイッチＥＬＩＳＡ法の詳細は以下の通りである。
【００６０】
２−２．サンドイッチＥＬＩＳＡ法
（１）コーティング溶液（抗体溶液、２μｇ／ｍｌ）５０μｌをＥＬＩＳＡプレートの各ウェルに添加し、４℃で一晩静置した。
（２）コーティング溶液を除去し、３００μｌのＰＢＳ（−）で３回洗浄後、２００μｌの１％−ＢＳＡ−ＰＢＳ（−）を添加し、室温で１時間静置した。
（３）ＥＬＩＳＡプレートを３００μｌのＰＢＳ−Ｔで３回洗浄後、検体と２時間接触させたアレルゲン溶液５０μｌを採取して添加し、室温で２時間静置した。
（４）ＥＬＩＳＡプレートを３００μｌのＰＢＳ−Ｔで３回洗浄後、標識抗体溶液を５０μｌ添加して、室温で２時間静置した。
（５）ＥＬＩＳＡプレートを３００μｌのＰＢＳ−Ｔで３回洗浄後、１００μｌの０．３ｍｇ／ｍｌ−ＡＢＴＳを添加して室温で発色させ、２０〜３０分反応後にミキシングさせ、マイクロプレートリーダーにより４０５ｎｍの吸光度を測定した。
（６）吸光度より検体接触させたアレルゲン溶液中の精製ダニアレルゲンｒＤｅｒｆ２濃度（Ａｎｇ／ｍｌ）を算出し、当該算出値と初期のアレルゲン溶液中の精製ダニアレルゲンｒＤｅｒ２濃度（５００ｎｇ／ｍｌ）とを比較することにより、アレルゲン除去率（％；１００×（５００−Ａ）／５００）を求めた。
【００６１】
【表１】
2013056038.tif 000002
【００６２】
以上から、本発明のエアフィルターは、基材に接種したウィルスを不活化できることが確認できた。特に、本発明のエアフィルターは、ウィルス感染量の異なる試験系、つまり低感染量および高感染量の両者において、ウィルスの不活化が確認され、増殖中のウィルスを不活化できることが確認できた。さらに、抗アレルゲン性も有しており、これらは全く予想外の効果である。
【００６３】
マツカサエキスと銀杏葉エキスの両方を基材に含有させることで、マツカサエキスの塗布量が少なくても、増殖中のウィルス不活化と抗アレルゲン性を有するフィルター基材を提供できる。また、銀杏葉エキスを添加しても、マツカサエキスのウィルス不活化の性能が阻害されることはなかった。
【００６４】
マツカサエキスの含有量が０．０１ｇ／ｍ２以上であると、増殖中のウィルスを不活化できる効果がより得られるため、好ましい。
【００６５】
一方、実施例１と比較例２との比較および実施例２と比較例３との比較から、銀杏葉エキスのみを塗布した場合、高感染量における増殖中のウィルス不活化の効果は十分ではなかった。マツから抽出した天然エキス成分特有の成分が極めて有効に作用した結果、当該差異が生じたものと推定される。
【産業上の利用可能性】
【００６６】
本発明のエアフィルターは、捕集したウィルスを不活性化し、さらには増殖を抑えることができる。抗アレルゲン性も具備しており、空調機、空気清浄機、掃除機、除湿機、乾燥機、加湿機、換気扇、熱交換装置等の各種空気処理装置のエアフィルターに利用できる。また、加湿機の加湿エレメント、水回りの除菌剤、あるいはマスク、ウェットワイパー、フロアワイパーにも利用できる可能性がある。